(57)【要約】【課題】一枚の基板で、簡易な構成と組み立てにより箱に入れた商品の横方向に緩衝材を入れた、包装用箱を提供する。【解決手段】  底板の四周に側板を内折目を介して配するとともに、その側板の一つに内折目を介して蓋板を配置したものには、前記各側板の隣接する底板のコーナ部に外折目を設けた緩衝板を設けて、各折目を折り込み、前記蓋板を前記側板と緩衝板との間に差し込むことにより、組み立てられることを特徴とする包装用箱。【選択図】図３
2011025953.tif 000002
【特許請求の範囲】
【請求項１】
四角形の底板Ａの四周に、それぞれ内折目１、２、３及び４を介して側板Ｂ、Ｃ、Ｄ及びＥを配置し、
前記側板ＢとＣ、ＣとＤ、ＤとＥ、及びＥとＢ間には、それぞれの側板を内折目５と６、７と８、９と１０、及び１１と１２を介して緩衝板Ｆ、Ｇ、Ｈ、及びＩを設けると共に、該緩衝板Ｆ、Ｇ、Ｈ、及びＩを２分する外折目１３、１４、１５、及び１６をそれぞれ設け、
前記側板Ｂの底板Ａとは反対側には、内折目１８、１９及び２０を介して差込固定片Ｋ、Ｌ、Ｍを三方に設けた蓋板Ｊを内折目１７を介して配置してある一枚の基板であって、
前記内折目１〜１２を内側に、外折目１３〜１６を外側に折り曲げ、前記緩衝板を箱の内部に配設した底板Ａ付き容器本体とし、これに前記内折目１７〜２０を内側に折り曲げた前記差込固定片Ｋ、Ｌ、及びＭを有する蓋部をそれぞれ前記底板Ａ付き容器の前記側板Ｄと緩衝板Ｇ及びＨ、前記側板Ｃと緩衝板Ｆ及びＧ、そして前記側板Ｅと緩衝板ＨとＩの間に差し込むことにより、容器全体の形状を固定して組み立ててなる包装用箱。
【請求項２】
前記内折目１８を介在した蓋板Ｊと差込固定片Ｋの一部に包装用箱を開く指先の掛け穴２１を設けた請求項１に記載の包装用箱。
【発明の詳細な説明】
【技術分野】
【０００１】
本発明は、厚紙やプラスチックシートなどで形成した一枚の基板から組み立てる包装用箱に関する。
【背景技術】
【０００２】
従来、輸送、保管、陳列のために商品を入れた包装箱を積み重ねる際に生じる積載荷重に対応するために、その箱の四隅を補強するものが、特開２００８−１２７０５０、特開２００４−３４５７２４、特開２００３−３４１６６０、特開２００１−１９２０２０、及び特開平９−７７１７６等、数多く提案されている。
特に、特開平８−２１７０５６のように一枚の板を連設したものを箱内に折り曲げて、箱の四隅を補強しているものが見られる。
【０００３】
しかしながら、前者の発明群は、箱を組み立てるのに余分な部品を付着するか、一体の平板から作るものであっても、前記したように包装箱の縦軸方向の荷重にのみ配慮したものである。また、特開平８−２１７０５６のものは一枚の側面を折り曲げて補強部を形成した外装ダンボールのために、これを底蓋に被せ、その後バンドによって巻装締結するものであるために、上の外装ダンボールと底蓋の二部材を被せてバンドで締結しなければ梱包箱は安定しないというものである。
【先行技術文献】
【特許文献】
【０００４】
【特許文献１】特開２００８−１２７０５０
【特許文献２】特開２００４−３４５７２４
【特許文献３】特開２００３−３４１６６０
【特許文献４】特開２００４−９９１２０
【特許文献５】特開平９−７７１７６
【特許文献６】特開平８−２１７０５６
【発明の概要】
【発明が解決しようとする課題】
【０００５】
本発明は、前記従来技術のように、四角形の箱の隅部を補強することもあるが、なによりも箱の使用前は一枚の平板であるが、使用時には包装用箱を簡単に組み立てることができ、組み立てて箱内に陶器やガラスからなる割れ物を入れても箱の側板との間に緩衝作用を有する板を簡単な組み立てにより提案したものである。
【課題を解決するための手段】
【０００６】
本発明の包装用箱は、上記課題を解決したものであり、その要旨の一つは、四角形の底板Ａの四周に、それぞれ内折目１、２、３及び４を介して側板Ｂ、Ｃ、Ｄ及びＥを配置したことにある。また、前記側板ＢとＣ、ＣとＤ、ＤとＥ、及びＥとＢ間には、それぞれの側板を内折目５と６、７と８、９と１０、及び１１と１２を介して緩衝板Ｆ、Ｇ、Ｈ、及びＩを設けると共に、該緩衝板Ｆ、Ｇ、Ｈ、及びＩを２分する外折目１３、１４、１５、及び１６をそれぞれ設ける。さらに、前記側板Ｂの底板Ａとは反対側には、内折目１８、１９及び２０を介して差込固定片Ｋ、Ｌ、Ｍを三方に設けた蓋板Ｊを内折目１７を介して配置してある。そして、上記構成からなる一枚の基盤は、前記内折目１〜１２を内側に、外折目１３〜１６を外側に折り曲げ、前記緩衝板を内部に配設した底板Ａ付き容器本体とし、これに前記内折目１７〜２０を内側に折り曲げた前記差込固定片Ｋ、Ｌ、及びＭを有する蓋部をそれぞれ前記底板Ａ付き容器の前記側板Ｄと緩衝板Ｇ及びＨ、前記側板Ｃと緩衝板Ｆ及びＧ、そして前記側板Ｅと緩衝板ＨとＩの間に差し込むことにより、容器全体の形状を固定して組み立ててなる包装用箱を形成する。
【０００７】
上記本発明の内折目１８を介在した蓋板Ｊと差込固定片Ｋの一部には、蓋板Ｊを開くときに引っ掛ける掛け穴１９を設けると、包装用箱から陶器などの割れ物を取り出し易くすることができる。
【発明の効果】
【０００８】
本発明では、側板ＢとＣ、ＣとＤ、ＤとＥ、及びＥとＢ間には、それぞれの側板を内折目５と６、７と８、９と１０、及び１１と１２を介して緩衝板Ｆ、Ｇ、Ｈ、及びＩを設けると共に、該緩衝板Ｆ、Ｇ、Ｈ、及びＩを２分する外折目１３、１４、１５、及び１６をそれぞれ設けて、前記緩衝板を箱の内部に配設した底板Ａ付き容器とし、これに前記内折目１７〜２０を内側に折り曲げた前記差込固定片Ｋ、Ｌ、及びＭをそれぞれ前記底板Ａ付き容器の前記側板Ｄと緩衝板Ｇ及びＨ、前記側板Ｃと緩衝板Ｆ及びＧ、そして前記側板Ｅと緩衝板ＨとＩの間に差し込むといった、片方の手で３方の側板Ｃ、Ｄ、及びＥを保持しながら他方の手により上記位置に差込固定片Ｋ、Ｌ、及びＭをワンタッチで容易に差し入れる。このことにより、前記各側板は前記蓋板Ｊの内折目１７以外の３方で位置を固定され、しかも差込固定片Ｋ、Ｌ、及びＭが側板Ｄ、Ｃ、及びＥの上方内側に差し込まれることで四方の緩衝板Ｇ、Ｈ、Ｆ及びＩは前記差し込まれた各差込固定片間に位置決めされて、各隅部が程９０度になる時に半分角の程４５度箱の内側に突出するために、箱内に入れられる陶器等の商品は四方で緩衝されることになる。
【０００９】
また、上記四隅に配置された二重の緩衝板Ｆ、Ｇ、Ｈ、及びＩは、箱の上方からの荷重に対する補強にもなる。
【図面の簡単な説明】
【００１０】
【図１】本発明の包装用箱の展開図である。
【図２】本発明の包装用箱を組み立て途中の説明図である。
【図３】本発明の包装用箱で内部に商品を入れる状態の斜視図である。
【図４】図３で底板付き容器本体に、蓋部を差し込んだ完成斜視図である。
【発明を実施するための形態】
【００１１】
本発明は厚紙、ダンボール箱、プラスチックシート等から所定の形に打ち抜きと同時に内折目と外折目を設けるといった一枚の基板で包装箱の組み立て前の状態の容器本体を用意しておき、顧客等が陶磁器製コップなどの商品を購入した際に、予め内及び外折目できるように用意してある各折目に沿って折り曲げ、当該商品を中に入れてから蓋部を閉鎖して、包装用箱を完成する。
【実施例】
【００１２】
本発明に係る包装用箱を添付図面の一枚の基板で説明する。
【００１３】
図１の展開図において、Ａは包装用箱の底板であり、その四方には内折目１〜４を介して側板Ｂ〜Ｅを配置している。
また、側板ＢとＣ間に内折目５、６を介して外折目１３を有する緩衝板Ｆを有し、同様に側板ＣとＤの間に内折目７、８を介して外折目１４を有する緩衝板Ｇ、側板ＤとＥの間に内折目９、１０を介して外折目１５を有する緩衝板Ｈ、及び側板ＥとＩの間に内折目１１、１２を介して外折目１６を有する緩衝板Ｉからなる容器本体の基本形状が形成される。
【００１４】
そして、前記側板Ｂの底板Ａとは反対側には、内折目１８〜２０を介して差込固定片Ｋ、Ｌ、Ｍを三方に設けた蓋板Ｊを内折目１７を介して配置している。
【００１５】
つぎに、上記項製で打ち抜かれた一枚の基板が、本発明の包装用箱になることを以下に説明する。
【００１６】
まず、内折目１〜１２と１７〜２０を内方にして折り込み、かつ外折目１３〜１６を外方にして折り込むことで、底板Ａ上に側板Ｂ〜Ｅを箱状に立ち上げると共に、内折目１７〜２０を内方に折り曲げてから（図２）、前記立ち上げた差込固定片Ｋ、Ｌ、及びＭを側板Ｄと緩衝板Ｇ及びＨの間、側板Ｃと緩衝板ＦとＧの間、そして側板Ｅと緩衝板Ｈとの間にそれぞれ差し込むことで包装用箱が完成する（図３、図４）。
【００１７】
なお、前記各内折目１〜１２、１７〜２０と外折目１３〜１６を折り曲げ（図２）、基板を箱状に立ち上げた状態で（図３）、底板Ａの四方の立ち上げられた側板Ｂ〜Ｅ内に商品を入れてから、差込固定片Ｋ、Ｌ、及びＭを各側板Ｃ〜Ｅの内側に差し込む（図４）。
【００１８】
また、前記蓋板Ｊと差込固定片Ｋの間の内折目１８の中央には丸形の貫通孔を開けて箱蓋Ｊを開き易いようにしておくことができる（図４）。
【００１９】
そして、上記図４の状態において、側板Ｂ〜Ｅは緩衝板Ｆ〜Ｉとの間に位置することで、蓋板Ｊを持ち上げて開かない限り、開くことはない。
【００２０】
本発明は、本来の発明の構成を損なわない限り、寸法、大きさなどの形態に限定されるものではない。
【産業上の利用可能性】
【００２１】
本発明は、包装用箱、特に箱内に割れ易い商品を入れる包装用箱に用いられる。
【符号の説明】
【００２２】
Ａ  底板
Ｂ〜Ｅ  側板
Ｆ〜Ｉ  緩衝板
Ｊ  蓋板
Ｋ〜Ｍ  差込固定片
１〜１２、１７〜１９  内折目
１３〜１６  外折目
２１  掛け穴
【図１】
2011025953.tif 000003
【図２】
2011025953.tif 000004
【図３】
2011025953.tif 000005
【図４】
2011025953.tif 000006